(57)【要約】【課題】断熱性を維持しつつ、気密性を向上させることができる複合枠及び建具を提供する。【解決手段】複合枠２０は、開口部Ｗに設けられ、金属部材２０Ａと樹脂部材２０Ｂとを連結して構成された複合枠２０であって、金属部材２０Ａは、ガラスパネル２の端部を支持するパネル支持溝４０を有し、樹脂部材２０Ｂは、金属部材２０Ａ上であってパネル支持溝４０よりも屋内側を覆って配置され、パネル支持溝４０の屋内側の面から金属部材２０Ａの見込み面に連続して、外気の屋内側への通気を阻止する気密ラインＡ１が構成されていることを特徴とする。【選択図】図２
2020139406.tif 000002
【特許請求の範囲】
【請求項１】
開口部に設けられ、金属部材と樹脂部材とを連結して構成された複合枠であって、
前記金属部材は、ガラスパネルの端部を支持するパネル支持溝を有し、
前記樹脂部材は、前記金属部材上であって前記パネル支持溝よりも屋内側を覆って配置され、
前記パネル支持溝の前記屋内側の面から前記金属部材の見込み面に連続して、外気の前記屋内側への通気を阻止する気密ラインが構成されていることを特徴とする複合枠。
【請求項２】
請求項１に記載の複合枠と、
該複合枠に納められた前記ガラスパネルと、
該ガラスパネルの周縁部に設けられた封止材と、を備え、
前記パネル支持溝は、前記封止材を前記ガラスパネル側に押圧する金属側押圧部を有することを特徴とする建具。
【請求項３】
前記樹脂部材は、前記金属側押圧部を前記ガラスパネル側に押圧する樹脂側押圧部を有する請求項２に記載の建具。
【請求項４】
前記金属部材は、上下方向に離間して一対の第一係合部を有し、
前記樹脂部材は、前記第一係合部を上下方向から挟持する一対の第二係合部を有する請求項２または３に記載の建具。
【発明の詳細な説明】
【技術分野】
【０００１】
本発明は、構造物の開口部に設けられる複合枠及び建具に関するものである。
【背景技術】
【０００２】
従来から、構造物の開口部に設けられる建具の下枠として、例えば特許文献１に記載されたものが提案されている。この下枠は、アルミ下枠と樹脂下枠とからなる複合部材であって、アルミ下枠及び樹脂下枠に連通するように排水ガイドが設けられている。樹脂下枠を有するため断熱性が高いとともに、排水ガイドにより樹脂下枠に流下した結露水を、アルミ下枠の屋内側中空部を経由させて、屋外に排水する構成とされている。
【先行技術文献】
【特許文献】
【０００３】
【特許文献１】特開平１１−１０７６４８号公報
【発明の概要】
【発明が解決しようとする課題】
【０００４】
ところで、上記の特許文献１に記載されたサッシでは、下枠のホロー内外の圧力差により、ホロー内に雨水が浸入することがある。下枠のホロー内に浸入した雨水の排水性を高めるためには、排水ガイドにサイズの大きい逆止弁を設ける必要があるが、逆止弁が大きくなるにともない逆止弁の周囲の隙間も大きくなってしまい、気密性が低下する。
さらに、複層ガラスガラスの端部が嵌め込まれる框体の屋内側は、樹脂部材でできているため、樹脂部材どうしの接合部分に隙間が生じやすく、また樹脂部材の熱伸縮により樹脂部材の端部に隙間が生じて、気密性が低下するという問題点がある。
特にビル等の中高層建築物では、屋内外で圧力差が生じるため、水を屋内側に引き込む可能性があり、高い気密性が望まれている。
【０００５】
そこで、本発明は、上記事情に鑑みてなされたものであり、断熱性を維持しつつ、気密性を向上させることができる複合枠及び建具を提供する。
【課題を解決するための手段】
【０００６】
上記目的を達成するために、本発明は以下の手段を採用している。
すなわち、本発明に係る複合枠は、開口部に設けられ、金属部材と樹脂部材とを連結して構成された複合枠であって、前記金属部材は、ガラスパネルの端部を支持するパネル支持溝を有し、前記樹脂部材は、前記金属部材上であって前記パネル支持溝よりも屋内側を覆って配置され、前記パネル支持溝の前記屋内側の面から前記金属部材の見込み面に連続して、外気の前記屋内側への通気を阻止する気密ラインが構成されていることを特徴とする。
【０００７】
このように構成された複合枠では、ガラスパネルの端部を支持するパネル支持溝よりも屋内側では、金属部材を覆って樹脂部材が配置されているため、断熱性を確保することができる。
また、金属部材のパネル支持溝の屋内側の面から金属部材の見込み面に連続して外気の屋内側への通気を阻止する気密ラインが構成されているため、気密性を確保することができる。
【０００８】
また、本発明に係る建具は、上記に記載の複合枠と、該複合枠に納められた前記ガラスパネルと、該ガラスパネルの周縁部に設けられた封止材と、を備え、前記パネル支持溝は、前記封止材を前記ガラスパネル側に押圧する金属側押圧部を有することを特徴とする。
【０００９】
このように構成された建具では、金属部材のパネル支持溝の金属側押圧部が、ガラスパネルの周縁部に設けられた封止材をガラスパネル側に押圧することで、外気温の変化等で樹脂部材が熱収縮したとしても金属部材は熱収縮しないため、ガラスパネルと封止材を挟む金属部材のパネル支持溝との間で屋内外の外気や音の流通を阻止して気密性を確保することができる。
【００１０】
また、本発明に係る建具は、前記樹脂部材は、前記金属側押圧部を前記ガラスパネル側に押圧する樹脂側押圧部を有することが好ましい。
【００１１】
このように構成された建具では、樹脂部材の樹脂側押圧部が金属側押圧部をガラスパネル側に押圧するため、ガラスパネルと封止材を挟む金属部材のパネル支持溝との間における気密性を高めることができる。
【００１２】
また、本発明に係る建具では、前記金属部材は、上下方向に離間して一対の第一係合部を有し、前記樹脂部材は、前記第一係合部を上下方向から挟持する一対の第二係合部を有していてもよい。
【００１３】
このように構成された建具では、金属部材の一対の第一係合部と樹脂部材の一対の第二係合部とは係合されているため、樹脂部材の熱伸縮による変位が抑制される。さらに、樹脂部材の一対の第二係合部は金属部材の一対の第一係合部を上下方向に挟持しているため、金属部材の屋内側への露出が抑制される。
【発明の効果】
【００１４】
本発明に係る複合枠及び建具によれば、断熱性を維持しつつ、気密性を向上させることができる。
【図面の簡単な説明】
【００１５】
【図１】本発明の第一実施形態に係るＦＩＸ窓を屋内側から見た斜視図である。
【図２】図１をＡ−Ａで切断した縦断面図である。
【図３】図２をＢ−Ｂで切断した水平断面図である。
【図４】図２のＣ部拡大図である。
【図５】本発明の第一実施形態に係るＦＩＸ窓の下端部を屋内側から見た斜視図である。
【図６】本発明の第一実施形態に係るＦＩＸ窓の下端部を屋外側から見た斜視図である。
【図７】図４をＤ−Ｄで切断した断面図である。
【図８】本発明の第一実施形態に係るＦＩＸ窓の第一結露水排水孔に設けられる弁を（ａ）斜め上方から見た斜視図、（ｂ）斜め下方から見た斜視図である。
【図９】本発明の第一実施形態に係るＦＩＸ窓の第二結露水排水孔に設けられる弁を（ａ）斜め上方から見た斜視図、（ｂ）斜め下方から見た斜視図である。
【図１０】本発明の第二実施形態に係る引違い窓を屋内側から見た正面図である。
【図１１】本発明の第二実施形態に係る引違い窓の縦断面図である。
【図１２】本発明の第二実施形態に係る引違い窓の横断面図である。
【図１３】図１１のＥ部拡大図である。
【図１４】本発明の第二実施形態の変形例に係る引違い窓の縦断面図である。
【図１５】本発明の第二実施形態の変形例に係る引違い窓の横断面図である。
【発明を実施するための形態】
【００１６】
（第一実施形態）
以下、本発明の第一実施形態による建築物の開口部に設けられる建具の一例として、ＦＩＸ窓（嵌め殺し窓）を図１から図９に基づいて説明する。
図１は、本発明の第一実施形態に係るＦＩＸ窓を屋内側から見た斜視図である。
図１に示すように、ＦＩＸ窓１００は、開口部Ｗに設けられ、四角形枠状に形成された枠体（複合枠）１と、枠体１内に嵌め込まれた例えばペアガラス等の複層ガラス（ガラスパネル）２と、枠体１の左右にそれぞれ設けられた押縁５と、を備えている。
なお、以下の説明において、複層ガラス２の上下方向及び上下方向と交差して複層ガラス２に沿う方向を見付け方向と称する。見付け方向のうち複層ガラス２の中心に向かう方向を見付け方向の内側とし、反対方向を見付け方向の外側と称する。また、複層ガラス２の厚み方向を見込み方向と称する。
【００１７】
枠体１は、水平方向に延在する上枠１０及び下枠２０と、上枠１０の両端部と下枠２０の両端部とをそれぞれ連結し上下方向に延在する縦枠３０と、を有している。
【００１８】
図２は、図１をＡ−Ａで切断した縦断面図である。
図２に示すように、上枠１０は、屋外側に設けられ金属製の金属上枠（金属部材）１０Ａと、屋内側に設けられ樹脂製の樹脂上枠（樹脂部材）１０Ｂと、を有している。金属上枠１０Ａと樹脂上枠１０Ｂとは連結されている。
【００１９】
下枠２０は、屋外側に設けられ金属製の金属下枠（金属部材）２０Ａと、屋内側に設けられ樹脂製の樹脂下枠（樹脂部材）２０Ｂと、を有している。金属下枠２０Ａと樹脂下枠２０Ｂとは連結されている。
【００２０】
図３は、図２をＢ−Ｂで切断した水平断面図である。
図３に示すように、縦枠３０は、屋外側に設けられ金属製の金属縦枠（金属部材）３０Ａと、屋内側に設けられ樹脂製の樹脂縦枠（樹脂部材）３０Ｂと、を有している。金属縦枠３０Ａと樹脂縦枠３０Ｂとは連結されている。
【００２１】
縦枠３０には、押縁５が設けられている。押縁５は、複層ガラス２の屋内側を保持し金属製の金属押縁（金属部材）５０Ａと、金属押縁５０Ａの屋内側に設けられ樹脂製の樹脂押縁（樹脂部材）５０Ｂと、を有している。金属押縁５０Ａと樹脂押縁５０Ｂとは、一体として構成されている。
【００２２】
図２及び図３に示すように、上枠１０、下枠２０及び縦枠３０には、複層ガラス２から離間するように凹む断面視コ字状のガラス受け部４０がそれぞれに設けられている。複層ガラス２の内外側面とガラス受け部４０の両側部との間には、面クリアランス（空間部）４０Ｓが設けられている。
【００２３】
面クリアランス４０Ｓには、スポンジ等の弾性材４１及びシーリング材（封止材）４２が設けられている。シーリング材４２は不定形または定形形状であり、例えばシリコーン、変成シリコーン、ウレタン、ブチル等を採用できる。
【００２４】
押縁５が縦枠３０から取り外された状態で、ガラス受け部４０に複層ガラス２が嵌め込まれる。その後、縦枠３０に押縁５が取り付けられ、弾性材４１及びシーリング材４２が設けられる。樹脂上枠１０Ｂ、樹脂下枠２０Ｂ及び樹脂押縁５０Ｂの屋外側の端部１０Ｚ，２０Ｚ，５０Ｚは、シーリング材４２を支持している。
【００２５】
次に、下枠２０及び下枠２０に設けられた弁（上キャップ６０，下部弁７０）の構成について詳細に説明する。
図４は、図２のＣ部拡大図である。
図４に示すように、金属下枠２０Ａは、樹脂下枠２０Ｂを支持する上段部１１０と、上段部１１０から下方に延びる下段部１２０と、上段壁部と下段壁部とを連結する連結壁部１３０と、を有している。
【００２６】
上段部１１０には、上方に向かって突出し、見付け方向に延在する側壁部１１１が設けられている。側壁部１１１は、見込み方向に離間して一対設けられている。側壁部１１１の間に、複層ガラス２の下端部２Ｚが配置されている。
【００２７】
屋外側の側壁部１１１には、屋内側に向かって突出する弾性材係止片１１２が設けられている。この側壁部１１１の上端部には、屋内側に向かって突出するシーリング材支持壁部１１３が設けられている。
【００２８】
屋内側の側壁部１１１には、屋外側に向かって突出する弾性材係止片１１４が設けられている。弾性材係止片１１４は、上下方向に離間して一対設けられている。
【００２９】
上側の弾性材係止片１１４の端部から上方に向かって延びるシーリング材支持壁部（金属側押圧部）１１５が設けられている。
【００３０】
シーリング材支持壁部１１５の上端部には、屋内側に向かって折曲された係合片（第一係合部）１１７が設けられている。また、屋内側の側壁部１１１には、屋内側に向かって突出する係合片（第一係合部）１１８が設けられている。
【００３１】
複層ガラス２の屋外側では、側壁部１１１の弾性材係止片１１２とシーリング材支持壁部１１３の下端部と複層ガラス２との間に、弾性材４１が挟み込まれている。また、シーリング材支持壁部１１３と弾性材４１と複層ガラス２との間に、シーリング材４２が挟み込まれている。
【００３２】
複層ガラス２の屋内側では、一対の弾性材係止片１１４と複層ガラス２との間に、弾性材４１が挟み込まれている。また、シーリング材支持壁部１１５と弾性材４１と複層ガラス２との間に、シーリング材４２が挟み込まれている。また、金属下枠２０Ａのシーリング材支持壁部１１５を、後述する樹脂下枠２０Ｂの係合壁部２０３が押圧している。
【００３３】
本実施形態では、側壁部１１１及び上段部１１０における一対の側壁部１１１に挟まれた部分（底部）１１９が、ガラス受け部（パネル支持溝）４０を構成している。
【００３４】
下段部１２０は、上段部１１０の屋内側から屋外側に向かうにしたがって次第に下方に向かう第一傾斜壁部１２１と、第一傾斜壁部１２１の端部から屋外側に向かうにしたがって次第に下方に向かう第二傾斜壁部１２２と、を有している。第一傾斜壁部１２１は、第二傾斜壁部１２２よりも傾斜が急である。
【００３５】
連結壁部１３０は、上段部１１０の底部１１９と第二傾斜壁部１２２とを連結している。連結壁部１３０は、上下方向に沿って配置されている。
【００３６】
図５は、ＦＩＸ窓１００の下端部を屋内側から見た斜視図である。図５において、複層ガラス２の記載を省略している。
図４及び図５に示すように、上段部１１０の底部１１９において、連結壁部１３０よりも屋外側には、上下方向に貫通し、屋外と連通された雨水排水孔１１０Ｈが設けられている。雨水排水孔１１０Ｈは、底部１１９の見付け方向の両端部近傍に設けられている。
【００３７】
図６は、ＦＩＸ窓１００の下端部を屋外側から見た斜視図である。
図４及び図６に示すように、連結壁部１３０の見付け方向の両端部において、下端部には、見込み方向に貫通し、屋外と連通された最終排水孔１３０Ｈが設けられている。
【００３８】
図６に示すように、金属縦枠３０Ａの屋外側には、見付け方向の内側に向かって延びるフィン３１が設けられている。フィン３１は、上下方向に延びている。正面視において、フィン３１は、連結壁部１３０に設けられた最終排水孔１３０Ｈに重なるように配置されている。
【００３９】
図４及び図６に示すように、側壁部１１１の下端部１１１Ｚは、上段部１１０よりも下方にまで延びている。側壁部１１１の下端部１１１Ｚと第二傾斜壁部１２２との間には、排水空間部１１１Ｓが形成されている。
【００４０】
図４に示すように、樹脂下枠２０Ｂは、水平面に沿って形成された水平面部２０１と、水平面部２０１の屋外側から上下方向に交差するように設けられた立設された鉛直面部２０２と、鉛直面部２０２の上下両端部から、それぞれ屋外側に延びる係合壁部（樹脂側押圧部、第二係合部）２０３と、を有している。各係合壁部２０３は、金属下枠２０Ａの係合片１１７，１１８を上下方向に挟持して係合している。
【００４１】
図２に示すように、水平面部２０１の屋内側の端部には、上方に延びる上向き片２０１Ｔが設けられている。上向き片２０１Ｔの上端には、屋内側に向かって延びる下枠屋内側面部２０６が設けられている。
【００４２】
さらに、樹脂下枠２０Ｂは、水平面部２０１の下面から下方に延びる支持壁部２０５を有している。支持壁部２０５は、見込み方向に離間して一対設けられている。
【００４３】
屋内側の支持壁部２０５の下端部は、金属下枠２０Ａの上段部１１０の屋内側から上方に延びる上向き片１１０Ｔに係合されている。屋外側の支持壁部２０５は、上段部１１０に支持されている。このようにして、樹脂下枠２０Ｂは、金属下枠２０Ａに連結されている。
【００４４】
図４に示すように、樹脂下枠２０Ｂの水平面部２０１において、支持壁部２０５よりも屋外側には、上下方向に貫通する第一結露水排水孔２０１Ｈが設けられている。第一結露水排水孔２０１Ｈには、上キャップ６０が設けられている。
【００４５】
図７は、図４をＤ−Ｄで切断した断面図である。図８は、上キャップ６０を（ａ）斜め上方から見た斜視図、（ｂ）斜め下方から見た斜視図である。
図４、図７及び図８に示すように、上キャップ６０は、平面視矩形状に形成された上面部６１と、上面部６１の対向する二辺から下方に延びる立設壁部６２と、を有している。
【００４６】
立設壁部６２は、樹脂下枠２０Ｂの水平面部２０１に載置されている。これにより、上面部６１と水平面部２０１との間には、立設壁部６２の高さに相当する高さの空間部６１Ｓが形成されている。
【００４７】
さらに、上キャップ６０は、上面部６１の下面から下方に延び、水平面部２０１の第一結露水排水孔２０１Ｈの縁部に係合する係合脚部６３と、上面部６１の下面から下方に延びる誘導壁部６４と、を有している。
【００４８】
誘導壁部６４は、下向きの三角形状をなしている。誘導壁部６４には、斜め下方に傾斜する傾斜壁部６５が形成されている。
【００４９】
図４に示すように、金属下枠２０Ａの上段部１１０において、側壁部１１１よりも屋内側には、上下方向に貫通する第二結露水排水孔１１０Ｊが設けられている。第二結露水排水孔１１０Ｊは、金属下枠２０Ａの見付け方向の端部よりもわずかに内側に設けられている。
【００５０】
第二結露水排水孔１１０Ｊは、第一結露水排水孔２０１Ｈの直下に、第一結露水排水孔２０１Ｈに連通して設けられている。第二結露水排水孔１１０Ｊは、第一結露水排水孔２０１Ｈと、樹脂下枠２０Ｂの支持壁部２０５の高さに相当する高さ分離間して配置されている。第二結露水排水孔１１０Ｊには、下部弁（逆止弁）７０が設けられている。
【００５１】
図６に示すように、下部弁７０は、金属下枠２０Ａの最終排水孔１３０Ｈと、見付け方向にずれた位置に配置されている。
【００５２】
図９は、下部弁７０を（ａ）斜め上方から見た斜視図、（ｂ）斜め下方から見た斜視図である。
図４、図７及び図９に示すように、下部弁７０は、上段部１１０の上方に配置される上筒状体７１を有している。上筒状体７１は、平面視環状に形成された底部７２と、底部７２の縁から立設された外周壁部７３と、底部７２に形成された貫通孔７２Ｈから下方に延びる内周壁部７４と、を有している。
【００５３】
さらに、下部弁７０は、第二結露水排水孔１１０Ｊに配置される下筒状体７５と、上筒状体７１と下筒状体７５とを連結する複数の連結体７６と、を有している。
【００５４】
下筒状体７５の内周面には、径方向内側に向かって突出する突出壁部７７が設けられている。突出壁部７７の下端部には、径方向内側に向かうにしたがって次第に上方に向かう傾斜壁部７８が形成されている。
【００５５】
下筒状体７５の下端部には、上方に向かって膨らむ形状であって、径方向に貫通する弁孔７５Ｈが形成されている。弁孔７５Ｈは、周方向に離間して３箇所に形成されている。
【００５６】
連結体７６は、上段部１１０に載置されている。これにより、上筒状体７１の底部７２と上段部１１０との間には、隙間７１Ｓが形成されている。
【００５７】
下筒状体７５の内部には、弁本体８０が設けられている。弁本体８０は、平面視円形状に形成された中心板８１と、中心板８１の縁部から径方向外側に向かって突出する弁体８２と、を有している。
【００５８】
弁体８２は、弁孔７５Ｈの形状に対応して上方に向かって膨らむ形状をなしている。弁体８２は、周方向に離間して３箇所に設けられている。
【００５９】
通常時、弁本体８０が下筒状体７５の下位に配置されるとともに、弁体８２は弁孔７５Ｈ内に配置されている。そして、下筒状体７５の内周面と中心板８１の上面との間には空間部７５Ｓが形成されている。
【００６０】
一方、外部から上向きの圧力を受けると、弁本体８０は上方に移動する。これにより、下筒状体７５の内周面と中心板８１の上面との間は、封止される。このように、弁本体８０は、雨水等の逆流を防止する逆止弁として機能する。
【００６１】
次に、縦枠３０と押縁５との連結構造について説明する。
図３に示すように、金属縦枠３０Ａには、見込み方向の中間部に見付け方向に延びる中間面部３４０が設けられている。中間面部３４０の見付け方向の内側の端部には、屋外側に向かって突出する係合爪部３４１が設けられている。また中間面部３４０には、屋外側に向かって突出する係合突起３４２が設けられている。
【００６２】
一方、金属押縁５０Ａの見付け方向の延びる基部５１０の見付け方向の端部には、屋外側に向かって延びる突起部５１１が設けられている。突起部５１１の先端部には、見付け方向の外側に向かうにしたがって次第に屋外側に向かう係合片部５１２が設けられている。
【００６３】
突起部５１１の端部は、金属縦枠３０Ａの係合爪部３４１係合されている。係合片部５１２の先端部は、金属縦枠３０Ａの係合突起３４２と係合されている。このようにして、金属押縁５０Ａは金属縦枠３０Ａに連結されている。
【００６４】
また、金属押縁５０Ａの基部５１０の見付け方向の外側の端部には、屋内側に向かって延びる係合片部５１３が設けられている。係合片部５１３の端部には、見付け方向の内側に向かって折曲された折曲片部５１４が設けられている。
【００６５】
また、基部５１０の見付け方向の内側の端部には、屋内側に向かって延びる係合片部５１５が設けられている。係合片部５１５の端部には、見付け方向の外側に向かって折曲された折曲片部５１６が設けられている。
【００６６】
また、基部５１０の見付け方向の内側の端部には、屋外側に向かって突出する突出片５２１が設けられている。突出片５２１の端部には、見付け方向に沿って延びる支持壁部（金属側押圧部）５２２が設けられている。
【００６７】
一方、樹脂押縁５０Ｂの見込み方向の延びる外側面部５７０の屋外側の端部には、見付け方向の外側に向かって延びる係合爪部５７１が設けられている。係合爪部５７１は、金属押縁５０Ａの係合片部５１３及び折曲片部５１４に係合されている。
【００６８】
樹脂押縁５０Ｂの外側面部５７０と、外側面部５７０よりも内側に配置され見込み方向の延びる内側面部５６０とは、連結壁部５８３で連結されている。連結壁部５８３には、屋外側に向かって延びる係合片部５８４が設けられている。係合片部５８４の端部には、見付け方向の内側に向かって折曲された折曲片部５８５が設けられている。折曲片部５８５は、金属押縁５０Ａの折曲片部５１６と係合されている。
【００６９】
このように、樹脂押縁５０Ｂの係合爪部５７１と金属押縁５０Ａの係合片部５１３並びに折曲片部５１４との係合、及び樹脂押縁５０Ｂの折曲片部５８５と金属押縁５０Ａの折曲片部５１６と係合により、樹脂押縁５０Ｂと金属押縁５０Ａとは連結されている。
【００７０】
次に、ＦＩＸ窓１００における外気の屋内側への通気を阻止する気密ラインＡ１及び断熱性が確保される断熱ラインＡ２について説明する。
図２に示すように、シーリング材支持壁部１１５の屋内側の面及び金属下枠２０Ａの上面（見込み面）に沿って、気密ラインＡ１が連続して構成されている。詳細には、シーリング材支持壁部１１５、上側の弾性材係止片１１４、屋内側の側壁部１１１、上段部１１０における側壁部１１１よりも屋内側の部分及び上向き片１１０Ｔに沿って、気密ラインＡ１が構成されている。この気密ラインＡ１上である金属下枠２０Ａの上段部１１０に、下部弁７０が設けられている。
【００７１】
また、樹脂下枠２０Ｂの係合壁部２０３、鉛直面部２０２、水平面部２０１、上向き片２０１Ｔ及び下枠屋内側面部２０６に沿って、断熱ラインＡ２が構成されている。
【００７２】
また、上枠１０においては、金属上枠１０Ａの屋内側の面及び水平面（見込み面）に沿って、気密ラインＡ１が連続して構成されている。また、樹脂上枠１０Ｂの水平面に沿って、断熱ラインＡ２が構成されている。
【００７３】
また、図３に示すように、縦枠３０及び押縁５においては、金属押縁５０Ａ及び金属縦枠３０Ａの屋内側の面並びに見込み方向に延びる面（見込み面）に沿って、気密ラインＡ１が連続して構成されている、また、樹脂押縁５０Ｂの見付け方向の内側の面並びに屋内側の面及び樹脂縦枠３０Ｂの見付け方向の内側の面に沿って、断熱ラインＡ２が構成されている。
【００７４】
このように、気密ラインＡ１と断熱ラインＡ２とは別々に設けられるとともに、気密ラインＡ１及び断熱ラインＡ２は四周にわたって形成されている。気密ラインＡ１の屋内側には、気密ラインＡ１と断熱ラインＡ２とで囲まれた断熱空間が四周にわたって確保されている。
【００７５】
次に、複層ガラス２の端部を保持する構造について説明する。
図４に示すように、下枠２０では、樹脂下枠２０Ｂの一対の係合壁部２０３が、金属下枠２０Ａの係合片１１７，１１８を上下方向から挟み込んでいる。この状態で、金属下枠２０Ａのシーリング材支持壁部１１５が、シーリング材４２を介して複層ガラス２を押圧している。
このため、樹脂下枠２０Ｂに熱による伸縮作用が生じても、係合壁部２０３が金属下枠２０Ａから外れたりずれたりしないため、樹脂下枠２０Ｂの伸縮変位を抑制できる。
なお、上枠１０も、同一の構成とされているため、説明を省略する。
【００７６】
図３に示すように、縦枠３０と押縁５では、上記のように、金属押縁５０Ａの基部５１０よりも屋内側で、金属押縁５０Ａと樹脂押縁５０Ｂとが連結された状態で、基部５１０よりも屋外側に設けられた支持壁部５２２が、シーリング材４２を介して複層ガラス２を押圧している。
このため、樹脂押縁５０Ｂに熱による伸縮作用が生じても、樹脂押縁５０Ｂの係合爪部５７１及び折曲片部５８５が金属押縁５０Ａから外れたりずれたりしないため、樹脂押縁５０Ｂの伸縮変位を抑制できる。
【００７７】
次に、上記のＦＩＸ窓１００の金属下枠２０Ａのガラス受け部４０内に入り込んだ雨水の排水、樹脂下枠２０Ｂ上に溜まった結露水、及び金属下枠２０Ａ上に溜まった結露水の排水について説明する。
【００７８】
図４において矢印Ｘで示すように、ガラス受け部４０内に入り込んだ雨水は、金属下枠２０Ａの底部１１９の雨水排水孔１１０Ｈから下方に落下し、排水空間部１１１Ｓを通過して、屋外に排出される。この流路が、雨水の排出される雨水排水路Ｘである。
【００７９】
一方、図４において矢印Ｙで示すように、樹脂下枠２０Ｂ上に溜まった結露水は、上キャップ６０の上面部６１と樹脂下枠２０Ｂの水平面部２０１との間に形成された空間部６１Ｓから、落下する。上キャップ６０の傾斜壁部６５（図７参照）は斜め下方に傾斜して形成されているため、結露水は傾斜壁部６５に沿って流れやすい。
【００８０】
落下した結露水は、下部弁７０の上筒状体７１の内部を通過して、底部７２の貫通孔７２Ｈから下方に落下する。結露水は、下筒状体７５の内周面と中心板８１の上面との間に形成された空間部７５Ｓから、下部弁７０の下方に落下する。
【００８１】
第二結露水排水孔１１０Ｊと最終排水孔１３０Ｈとの間は、連通路１１０Ｒとされている。結露水は、樹脂下枠２０Ｂの第一傾斜壁部１２１に沿って、連通路１１０Ｒを屋外側に移動し、最終排水孔１３０Ｈ及び排水空間部１１１Ｓを通過して、屋外に排出される。
この流路が、樹脂下枠２０Ｂ上に溜まった結露水の排出される第一結露水排水路Ｙである。
【００８２】
一方、図４において矢印Ｚで示すように、万が一、金属下枠２０Ａ上（樹脂下枠２０Ｂの下方）に結露水が溜まった場合には、結露水は、下部弁７０の上筒状体７１の底部７２と金属下枠２０Ａの上段部１１０との間に形成された隙間７１Ｓから、内周壁部７４の外周面と下筒状体７５の内周面との間、及び下筒状体７５の内周面と中心板８１の上面との間に形成された空間部７５Ｓから、下部弁７０の下方に落下する。後の流れは、樹脂下枠２０Ｂ上に溜まった結露水の流れと同様である。この流路は、金属下枠２０Ａ上に溜まった結露水が排出される第二結露水排水路Ｚである。
【００８３】
このように、第一結露水排水路Ｙ及び第二結露水排水路Ｚは、ガラス受け部４０を経由せずに排水される。換言すると、雨水排水路Ｘと第一結露水排水路Ｙ及び第二結露水排水路Ｚとは、独立して設けられている。
【００８４】
また、図４に示す破線Ｐで示す線に沿って、外気の屋内側への通気を阻止及び雨水の屋内側への浸入を阻止する止水ラインが構成されている。下部弁７０の逆止弁機能を有する弁本体８０は止水ラインに配置されており、雨水が屋内側へ逆流することが防止される。
【００８５】
このように構成されたＦＩＸ窓１００では、複層ガラス２の端部を支持するガラス受け部４０よりも屋内側では、金属上枠１０Ａ、金属下枠２０Ａ、金属縦枠３０Ａ、金属押縁５０Ａを覆って、樹脂上枠１０Ｂ、樹脂下枠２０Ｂ、樹脂縦枠３０Ｂ、樹脂押縁５０Ｂが配置されているため、断熱性を確保することができる。また、気密ラインＡ１の屋内側には、気密ラインＡ１と断熱ラインＡ２とで囲まれた断熱空間が確保されているため、断熱性を高めることができる。
【００８６】
また、シーリング材支持壁部１１５及び金属押縁５０Ａの屋内側の面から金属上枠１０Ａ、金属下枠２０Ａ、金属縦枠３０Ａ、金属押縁５０Ａの見込み面に沿って、外気の屋内側への通気を阻止する気密ラインＡ１が連続して構成されているため、気密性を確保することができる。また、気密ラインＡ１には下部弁７０が設けられているため、下部弁７０から雨水が逆流することが抑制される。さらに、雨水が気密ラインＡ１よりも屋内側に入ってこないため、下部弁７０は結露水を排水するのに適した大きさでよい。つまり、下部弁７０を小型化でき、下部弁７０の周囲の隙間を小さく抑えることができるため、気密性を高めることができる。
【００８７】
また、金属上枠１０Ａ、金属下枠２０Ａ、金属縦枠３０Ａ、金属押縁５０Ａのシーリング材支持壁部１１５，５２２が、複層ガラス２の周縁部に設けられたシーリング材４２を複層ガラス２側に押圧することで、外気温の変化等で樹脂上枠１０Ｂ、樹脂下枠２０Ｂ、樹脂縦枠３０Ｂ、樹脂押縁５０Ｂが熱収縮したとしても金属上枠１０Ａ、金属下枠２０Ａ、金属縦枠３０Ａ、金属押縁５０Ａは熱収縮しないため、複層ガラス２とシーリング材４２を挟む金属上枠１０Ａ、金属下枠２０Ａ、金属縦枠３０Ａ、金属押縁５０Ａのガラス受け部４０との間で屋内外の外気や音の流通を阻止して気密性を確保することができる。
【００８８】
また、樹脂上枠１０Ｂ、樹脂下枠２０Ｂの係合壁部２０３がシーリング材支持壁部１１５を複層ガラス２側に押圧するため、複層ガラス２とシーリング材４２を挟む金属上枠１０Ａ、金属下枠２０Ａのガラス受け部４０との間における気密性を高めることができる。
【００８９】
また、金属上枠１０Ａ、金属下枠２０Ａの係合片１１７，１１８と樹脂上枠１０Ｂ、樹脂下枠２０Ｂの一対の係合壁部２０３とは係合されているため、樹脂上枠１０Ｂ、樹脂下枠２０Ｂの熱伸縮による変位が抑制される。さらに、樹脂上枠１０Ｂ、樹脂下枠２０Ｂの一対の一対の係合壁部２０３は金属上枠１０Ａ、金属下枠２０Ａの係合片１１７，１１８を上下方向に挟持しているため、金属上枠１０Ａ、金属下枠２０Ａの屋内側への露出が抑制される。
【００９０】
また、ガラス受け部４０内に浸入した雨水は、ガラス受け部４０に設けられ、屋外と連通された雨水排水孔１１０Ｈから、排水空間部１１１Ｓを通過して屋外に排水される。また、樹脂下枠２０Ｂ上に溜まった結露水は、樹脂下枠２０Ｂに設けられた第一結露水排水孔２０１Ｈ、第二結露水排水孔１１０Ｊ、連通路１１０Ｒ及び金属下枠２０Ａに設けられ、屋外と連通された最終排水孔１３０Ｈから、排水空間部１１１Ｓを通過して排水される。万が一、金属下枠２０Ａ上に結露水が溜まった場合には、金属下枠２０Ａ上に溜まった結露水は、第二結露水排水孔１１０Ｊ、連通路１１０Ｒ及び最終排水孔１３０Ｈから、排水空間部１１１Ｓを通過して排水される。
このように、雨水排水路Ｘと第一結露水排水路Ｙ及び第二結露水排水路Ｚとはそれぞれ独立して設けられているため、雨水の逆流を抑制しつつ雨水及び結露水を排水することができる。
【００９１】
また、第一結露水排水孔２０１Ｈと第二結露水排水孔１１０Ｊとは上下方向に離間して配置されているため、雨水の逆流を防止することができる。さらに、第二結露水排水孔１１０Ｊには、逆止弁として機能する弁本体８０が設けられている。よって、雨水の逆流を確実に防止することができる。
【００９２】
また、金属縦枠３０Ａの屋外側に設けられ、見付け方向の内側に向かって延びるフィン３１は、金属下枠２０Ａの見付け方向の端部に設けられた最終排水孔１３０Ｈと重なるように配置されている。よって、正面視において、フィン３１で最終排水孔１３０Ｈが隠れて見えないため、外観を向上させることができる。
【００９３】
なお、本発明に係る複合下枠は、上述した第一実施形態に係るＦＩＸ窓１００に限定されるものではなく、本発明の要旨を逸脱しない範囲で適宜の変更や置換等が可能である。
以下に、本発明の他の実施形態や変形例について説明するが、上述した実施形態で説明した部品や部材等と同一または同様なものについては、同一の符号を用いて説明する。
【００９４】
（第二実施形態）
例えば、図１０は、本発明の第二実施形態に係る引違い窓を屋内側から見た正面図である。図１１は、本発明の第二実施形態に係る引違い窓の縦断面図である。図１２は、本発明の第二実施形態に係る引違い窓の横断面図である。図１３は、図１１のＥ部拡大図である。なお、図１０では枠体の図示を省略し、図１１では内障子の図示を省略している。
図１０から図１３に示すように、引違い窓１００Ｘでは、不図示の枠体内に、外障子２０Ｘ及び内障子２０Ｙが納められている。
【００９５】
外障子２０Ｘ及び内障子２０Ｙは、それぞれ上框９１と、下框９２と、上框９１の両端部と下框９２の両端部とをそれぞれ連結し上下方向に延在する縦框９３と、これら上框９１、下框９２及び一対の縦框９３の内部に納められた複層ガラス２と、を有している。
【００９６】
下枠２０において、金属下枠２０Ａの屋外側には外障子２０Ｘの下部に設けられた９４を走行させる外側レール１３１が設けられている。金属下枠２０Ａの屋内側には、外側レール１３１より１段高い位置に内側レール１３２が設けられている。内側レール１３２は、内障子２０Ｙの下部に設けた不図示の戸車を走行可能に支持している。
【００９７】
外障子２０Ｘにおいて、上框９１は、屋外側に設けられ金属製の金属上框（金属部材）９１Ａと、屋内側に設けられ樹脂製の樹脂上框（樹脂部材）９１Ｂと、を有している。金属上框９１Ａと樹脂上框９１Ｂとは連結されている。
【００９８】
同様に、下框９２は、屋外側に設けられ金属製の金属下框（金属部材）９２Ａと、屋内側に設けられ樹脂製の樹脂下框（樹脂部材）９２Ｂと、を有している。金属下框９２Ａと樹脂下框９２Ｂとは連結されている。
【００９９】
同様に、縦框９３は、屋外側に設けられ金属製の金属縦框（金属部材）９３Ａと、屋内側に設けられ樹脂製の樹脂縦框（樹脂部材）９３Ｂと、を有している。金属縦框９３Ａと樹脂縦框９３Ｂとは連結されている。
【０１００】
さらに、内障子２０Ｙにおいても、上框９１、下框９２、左右の縦框９３は、外障子２０Ｘと同一の構成を備えており、同一の符号を用いて説明を省略する。
【０１０１】
複層ガラス２の四辺の側端部は断面略Ｕ字状のグレージングチャンネル（封止材）４３で全周に亘って連続して囲われている。
【０１０２】
グレージングチャンネル４３は、複層ガラス２の端面に当接する基部４３ａと両側縁部にそれぞれ当接する立ち上がり部４３ｂと、を有している。
【０１０３】
両立ち上がり部４３ｂには、平面部４５と、平面部４５から複層ガラス２側の延びる２個のヒレ部４４と、平面部４５の先端部に設けられた先端ヒレ部４６とが形成されている。先端ヒレ部４６の他端部には、平面部２４の反対側に突出する突部４６ａが形成されている。
【０１０４】
これらヒレ部４４と先端ヒレ部４６とで、屋内外における複層ガラス２の両側部とグレージングチャンネル４３とを気密に封止している。
【０１０５】
金属上框９１Ａ、金属下框９２Ａ及び金属縦框９３Ａでは、グレージングチャンネル４３を囲うように断面略コの字状のガラス受け部４０が形成されている。
【０１０６】
金属下框９２Ａのガラス受け部４０において、グレージングチャンネル４３の基部４３ａに対向する受け部４０ａの屋外側と屋内側には、側部４０ｂがそれぞれ上方に延びている。側部４０ｂには、グレージングチャンネル４３の平面部４５に当接する肉厚の押圧部４０ｃが形成されている。屋内側では、押圧部４０ｃと先端ヒレ部４６の突部４６ａとの間に、樹脂下框９２Ｂの先側突部９２ｃを嵌合している。これにより、屋内側の立ち上がり部４３ｂは、ガラス受け部４０の押圧部４０ｃと先側突部９２ｃとで複層ガラス２側に押圧されている。
このため、複層ガラス２の一端部を覆うグレージングチャンネル４３の両立ち上がり部４３ｂを、金属下框９２Ａのガラス受け部４０で押圧支持する。しかもグレージングチャンネル４３の基部４３ａとガラス受け部４０の受け部４０ａとの間に空間が形成されている。
【０１０７】
このように、ガラス受け部４０の屋内側の押圧部４０ｃは、樹脂下框９２Ｂの先側突部９２ｃを介してグレージングチャンネル４３の突部４６ａを押圧している。また、ガラス受け部４０の屋内側の側部４０ｂには、押圧部４０ｃの近傍で枝分かれして略フック状に屈曲した係止受け部４０ｄが形成されている。係止受け部４０ｄは、樹脂下框９２Ｂの先側突部９２ｃから枝分かれした略Ｌ字状の係止部（樹脂側押圧部）９２ｄに係合されている。
【０１０８】
このため、樹脂下框９２Ｂに熱による伸縮作用が生じても、先側突部９２ｃと係止部９２ｄが金属下框９２Ａから外れたりずれたりしないため、樹脂下框９２Ｂの伸縮変位を抑制できる。
なお、上框９１も、同一の構成とされているため、説明を省略する。
【０１０９】
また、内障子２０Ｙの左右の縦框９３でも、基本的に下框９２と同様に複層ガラス２の端部を保持する構造である。
相違点として、内障子２０Ｙにおける戸先側の縦框９３では、金属縦框９３Ａのガラス受け部４０に設けられた屋内側の側部４０ｂには、グレージングチャンネル４３の立ち上がり部４３ｂを押圧するように略コの字状で先端が更に屈曲した押圧部（金属側押圧部）４０ｅが形成されている。樹脂縦框９３Ｂにおける先側突部９２ｃは、押圧部４０ｅとグレージングチャンネル４３の先端ヒレ部４６の突部４６ａとの間に挟持されて係合し、立ち上がり部４３ｂを押圧している。また、先側突部９２ｃから枝分かれした係止部９２ｄが押圧部４０ｅの内部に係合している。
外障子２０Ｘの戸先側の縦框９３及び吊元側の縦框９３も、同一の構成とされているため、説明を省略する。
【０１１０】
また、内障子２０Ｙにおける召し合わせ側の縦框９３では、金属縦框９３Ａのガラス受け部４０に設けられた屋内側の側部４０ｂには、一対の押圧部４０ｆ，４０ｇが設けられている。一方の押圧部（金属側押圧部）４０ｆは、グレージングチャンネル４３の立ち上がり部４３ｂを押圧している。樹脂縦框９３Ｂにおける先側突部９２ｃは、先端が押圧部４０ｆの先端と先端ヒレ部４６の突部４６ａとの間に挟持されてグレージングチャンネル４３の立ち上がり部４３ｂを押圧している。
【０１１１】
下枠２０及び下框９２において、金属下框９２Ａの屋内側の面から金属下枠２０Ａの上面、金属下枠２０Ａの屋内側の面に連続して、気密ラインＡ３が構成されている。また、樹脂下框９２Ｂの上面から屋内側の面、樹脂下枠２０Ｂの上面に連続して断熱ラインＡ４が構成されている。金属下枠２０Ａの気密ラインＡ３上に配置される上段部１１０には、下部弁７０が設けられている。
なお、図１３に示すように、樹脂下框２０Ｂの屋外側の端部に設けられたヒレ部２０４と樹脂下框９２Ｂの下端部との間に、微小な隙間２０４Ｓが設けられていても、断熱性を確保する断熱ラインＡ４は構成されている。
【０１１２】
また、上枠１０及び上框９１においても、金属上框９１Ａの屋内側の面から金属上枠１０Ａの水平面、金属上枠１０Ａの屋内側の面に連続して、気密ラインＡ３が構成されている。また、樹脂上框９１Ｂの屋内側の面から樹脂上枠１０Ｂの水平面、樹脂上枠１０Ｂの屋内側の面に連続して、断熱ラインＡ４が構成されている。
【０１１３】
また、縦枠３０及び縦框９３においても、金属縦框９３Ａの屋内側の面から金属縦枠３０Ａの屋内側の面に連続して、気密ラインＡ３が構成されている。また、樹脂縦框９３Ｂの屋内側の面から樹脂縦枠３０Ｂの屋内側の面に連続して、断熱ラインＡ４が構成されている。
【０１１４】
（第二実施形態の変形例）
次に、第二実施形態の変形例に係る引違い窓１００Ｙについて、図１４及び図１５を用いて説明する。
図１４は、本発明の第二実施形態の変形例に係る引違い窓の縦断面図である。図１５は、本発明の第二実施形態の変形例に係る引違い窓の横断面図である。
本変形例に係る引違い窓１００Ｙの基本構成は、第二実施形態に係る引違い窓１００Ｘと同様である。図１４及び図１５に示すように、引違い窓１００Ｙでは、下枠２０の下方において、躯体Ｋとの間に、断熱材Ｌが設けられている。断熱材Ｌは、断熱ラインＬ４と連続するように配置されている。
【０１１５】
また、上枠１０の上方において、躯体Ｋとの間に、断熱材Ｌが設けられている。断熱材Ｌは、見込み方向に分断されつつ間にシーリング材やバックアップ材の介在部材Ｍが配置されている。断熱材Ｌは、介在部材Ｍを介して連続しつつ、断熱ラインＬ４と連続するように配置されている。
【０１１６】
また、縦枠３０の見付け方向の外側において、躯体Ｋとの間に、断熱材Ｌが設けられている。断熱材Ｌは、見込み方向に分断されつつ間にシーリング材やバックアップ材の介在部材Ｍが配置されている。断熱材Ｌは、介在部材Ｍを介して連続しつつ、断熱ラインＬ４と連続するように配置されている。
【０１１７】
なお、上述した実施の形態において示した各構成部材の諸形状や組み合わせ等は一例であって、本発明の主旨から逸脱しない範囲において設計要求等に基づき種々変更可能である。
【０１１８】
例えば、樹脂下枠２０Ｂにおける樹脂押縁５０Ｂの直下に、不図示の上下方向の貫通孔が形成されていてもよい。あるいは、樹脂下枠２０Ｂの端部と金属縦枠３０Ａとの間に不図示の隙間を形成してもよい。これらの貫通孔、隙間から結露水を排水させることができる。
【０１１９】
また、上記に示す実施形態では、建具の一例としてＦＩＸ窓、引違い窓を例に挙げて説明したが、本発明はこれに限られず、框ドア、辷り出し窓等他の建具について適用可能である。引違い窓、框ドア、辷り出し窓の場合には、枠体は、複層ガラス等のガラスパネルの端部が嵌め込まれた框に相当する。
【符号の説明】
【０１２０】
１００…ＦＩＸ窓
１…枠体（複合枠）
２…複層ガラス（ガラスパネル）
５…押縁
１０…上枠
１０Ａ…金属上枠（金属部材）
１０Ｂ…樹脂上枠（樹脂部材）
２０…下枠
２０Ａ…金属下枠（金属部材）
２０Ｂ…樹脂下枠（樹脂部材）
３０…縦枠
３０Ａ…金属縦枠（金属部材）
３０Ｂ…樹脂縦枠（樹脂部材）
３１…フィン
４０…ガラス受け部（パネル支持溝）
４０Ｓ…面クリアランス
４１…弾性材
４２…シーリング材（封止材）
５０Ａ…金属押縁（金属部材）
５０Ｂ…樹脂押縁（樹脂部材）
６０…上キャップ
７０…下部弁（逆止弁）
７５Ｈ…弁孔
８０…弁本体
８２…弁体
１１０Ｈ…雨水排水孔
１１０Ｊ…第二結露水排水孔
１１０Ｒ…連通路
１１０Ｔ…上向き片
１１１Ｓ…排水空間部
１１５…シーリング材支持壁部（金属側押圧部）
１１７，１１８…係合片（第一係合部）
１３０Ｈ…最終排水孔
２０１Ｈ…第一結露水排水孔
２０１Ｔ…上向き片
２０３…係合壁部（樹脂側押圧部、第二係合部）
５２２…支持壁部（押圧部）
Ａ１，Ａ３…気密ライン
Ａ２，Ａ４…断熱ライン
Ｗ…開口部
Ｘ…雨水排水路
Ｙ…第一結露水排水路
Ｚ…第二結露水排水路
【図１】
2020139406.tif 000003
【図２】
2020139406.tif 000004
【図３】
2020139406.tif 000005
【図４】
2020139406.tif 000006
【図５】
2020139406.tif 000007
【図６】
2020139406.tif 000008
【図７】
2020139406.tif 000009
【図８】
2020139406.tif 000010
【図９】
2020139406.tif 000011
【図１０】
2020139406.tif 000012
【図１１】
2020139406.tif 000013
【図１２】
2020139406.tif 000014
【図１３】
2020139406.tif 000015
【図１４】
2020139406.tif 000016
【図１５】
2020139406.tif 000017
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
開口部に設けられ、金属部材と樹脂部材とを連結して構成された複合枠と、
該複合枠に納められたガラスパネルと、を備えた複合建具であって、
前記金属部材は、前記ガラスパネルの端部を支持するパネル支持溝を有し、
前記樹脂部材は、前記金属部材上であって前記パネル支持溝よりも屋内側を覆って配置され、
前記パネル支持溝の前記屋内側の面から前記金属部材の見込み面に連続して、外気の前記屋内側への通気を阻止する気密ラインが構成され、
前記樹脂部材に沿って断熱ラインが構成され、
前記気密ラインと前記断熱ラインとの間には、断熱空間が形成され、
前記金属部材及び前記樹脂部材と前記ガラスパネルとの間には、封止材が挟み込まれ、
前記金属部材及び前記樹脂部材は、前記封止材に当接し、
前記封止材は、該ガラスパネルの周縁部に設けられ、
前記パネル支持溝は、前記封止材を前記ガラスパネル側に押圧する金属側押圧部を有することを特徴とする複合建具。
【請求項２】
前記金属側押圧部は、前記ガラスパネルの全周の側縁部に亘って連続して形成されている請求項１に記載の複合建具。
【請求項３】
前記樹脂部材は、前記金属側押圧部を前記ガラスパネル側に押圧する樹脂側押圧部を有する請求項２に記載の複合建具。
【請求項４】
前記金属部材は、上下方向に離間して一対の第一係合部を有し、
前記樹脂部材は、前記第一係合部を挟持する一対の第二係合部を有する請求項２または３に記載の複合建具。
【請求項５】
前記封止材は、前記ガラスパネルの屋内側の面、前記金属部材及び前記樹脂部材に当接して気密及び断熱に保持するシーリング材で形成されている請求項１から４のいずれか一項に記載の複合建具。
【請求項６】
前記封止材は、前記ガラスパネルの屋内側の面、前記金属部材及び前記樹脂部材に当接して気密及び断熱に保持し、
前記封止材は、屋内側に突出する突部を有する請求項１から４のいずれか一項に記載の複合建具。
【手続補正３】
【補正対象書類名】明細書
【補正対象項目名】０００１
【補正方法】変更
【補正の内容】
【０００１】
本発明は、構造物の開口部に設けられる複合建具に関するものである。
【手続補正４】
【補正対象書類名】明細書
【補正対象項目名】０００５
【補正方法】変更
【補正の内容】
【０００５】
そこで、本発明は、上記事情に鑑みてなされたものであり、断熱性を維持しつつ、気密性を向上させることができる複合建具を提供する。
【手続補正５】
【補正対象書類名】明細書
【補正対象項目名】０００６
【補正方法】変更
【補正の内容】
【０００６】
上記目的を達成するために、本発明は以下の手段を採用している。
すなわち、本発明に係る複合建具は、開口部に設けられ、金属部材と樹脂部材とを連結して構成された複合枠と、該複合枠に納められたガラスパネルと、を備えた複合建具でであって、前記金属部材は、前記ガラスパネルの端部を支持するパネル支持溝を有し、前記樹脂部材は、前記金属部材上であって前記パネル支持溝よりも屋内側を覆って配置され、前記パネル支持溝の前記屋内側の面から前記金属部材の見込み面に連続して、外気の前記屋内側への通気を阻止する気密ラインが構成され、前記樹脂部材に沿って断熱ラインが構成され、前記気密ラインと前記断熱ラインとの間には、断熱空間が形成され、前記金属部材及び前記樹脂部材と前記ガラスパネルとの間には、封止材が挟み込まれ、前記金属部材及び前記樹脂部材は、前記封止材に当接し、前記封止材は、該ガラスパネルの周縁部に設けられ、前記パネル支持溝は、前記封止材を前記ガラスパネル側に押圧する金属側押圧部を有することを特徴とする。
【手続補正６】
【補正対象書類名】明細書
【補正対象項目名】０００７
【補正方法】変更
【補正の内容】
【０００７】
このように構成された複合建具では、ガラスパネルの端部を支持するパネル支持溝よりも屋内側では、金属部材を覆って樹脂部材が配置されているため、断熱性を確保することができる。
また、金属部材のパネル支持溝の屋内側の面から金属部材の見込み面に連続して外気の屋内側への通気を阻止する気密ラインが構成されているため、気密性を確保することができる。
また、金属部材のパネル支持溝の金属側押圧部が、ガラスパネルの周縁部に設けられた封止材をガラスパネル側に押圧することで、外気温の変化等で樹脂部材が熱収縮したとしても金属部材は熱収縮しないため、ガラスパネルと封止材を挟む金属部材のパネル支持溝との間で屋内外の外気や音の流通を阻止して気密性を確保することができる。
【手続補正７】
【補正対象書類名】明細書
【補正対象項目名】０００８
【補正方法】変更
【補正の内容】
【０００８】
また、本発明に係る複合建具は、前記金属側押圧部は、前記ガラスパネルの全周の側縁部に亘って連続して形成されていてもよい。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
また、本発明に係る複合建具は、前記樹脂部材は、前記金属側押圧部を前記ガラスパネル側に押圧する樹脂側押圧部を有することが好ましい。
【手続補正１０】
【補正対象書類名】明細書
【補正対象項目名】００１１
【補正方法】変更
【補正の内容】
【００１１】
このように構成された複合建具では、樹脂部材の樹脂側押圧部が金属側押圧部をガラスパネル側に押圧するため、ガラスパネルと封止材を挟む金属部材のパネル支持溝との間における気密性を高めることができる。
【手続補正１１】
【補正対象書類名】明細書
【補正対象項目名】００１２
【補正方法】変更
【補正の内容】
【００１２】
また、本発明に係る複合建具では、前記金属部材は、上下方向に離間して一対の第一係合部を有し、前記樹脂部材は、前記第一係合部を挟持する一対の第二係合部を有していてもよい。
また、本発明に係る複合建具では、前記封止材は、前記ガラスパネルの屋内側の面、前記金属部材及び前記樹脂部材に当接して気密及び断熱に保持するシーリング材で形成されていてもよい。
また、本発明に係る複合建具では、前記封止材は、前記ガラスパネルの屋内側の面、前記金属部材及び前記樹脂部材に当接して気密及び断熱に保持し、前記封止材は、屋内側に突出する突部を有していてもよい。
【手続補正１２】
【補正対象書類名】明細書
【補正対象項目名】００１３
【補正方法】変更
【補正の内容】
【００１３】
このように構成された複合建具では、金属部材の一対の第一係合部と樹脂部材の一対の第二係合部とは係合されているため、樹脂部材の熱伸縮による変位が抑制される。さらに、樹脂部材の一対の第二係合部は金属部材の一対の第一係合部を挟持しているため、金属部材の屋内側への露出が抑制される。